(57)【特許請求の範囲】
【請求項１】
下記平均組成式（１）で表されるオルガノポリシロキサン。
【化１】
0005583710.tif 000038
（上記一般式（１）中、Ｒ１はそれぞれ独立に、炭素数１〜１２個の１価の炭化水素基であり、Ｒ２は水素原子、炭素数１〜１５の１価の炭化水素基、及び炭素数１〜６の１価のアシル基のいずれかであり、ｎは０〜１０００の整数であり、ｍは２または３であり、Ｘは炭素数２〜１５の２価の炭化水素基であり、Ｙはｍが２のときに下記式
【化２】
0005583710.tif 000039
、ｍが３のときに炭素原子であり、ｓは０〜１００の整数であり、ｔは０〜５０の整数であり、ｚは０〜５０の整数である。）
【請求項２】
請求項１に記載のオルガノポリシロキサンを含有するものであることを特徴とする化粧料。
【請求項３】
下記平均組成式（２）で表される化合物と下記一般式（３）で表される化合物を、遷移金属触媒存在下で反応させることを特徴とするオルガノポリシロキサンの製造方法。
【化３】
0005583710.tif 000040
（上記一般式（２）中、Ｒ１はそれぞれ独立に、炭素数１〜１２個の１価の炭化水素基であり、ｎは０〜１０００の整数である。）
【化４】
0005583710.tif 000041
（上記一般式（３）中、Ｘ’は末端に炭素−炭素２重結合を持つ炭素数２〜１５の２価の炭化水素基であり、ｍは２または３であり、Ｙはｍが２のときに下記式
【化５】
0005583710.tif 000042
、ｍが３のときに炭素原子であり、Ｒ２は水素原子、炭素数１〜１５の１価の炭化水素基、及び炭素数１〜６の１価のアシル基のいずれかであり、ｓは０〜１００の整数であり、ｔは０〜５０の整数であり、ｚは０〜５０の整数である。）
【請求項４】
前記遷移金属触媒が、白金及びロジウムのうち少なくとも１つを含むことを特徴とする請求項３に記載のオルガノポリシロキサンの製造方法。
【発明の詳細な説明】
【技術分野】
【０００１】
本発明は、新規オルガノポリシロキサン、これを含む化粧料及びオルガノポリシロキサンの製造方法に関する。
【背景技術】
【０００２】
一般に、汗や涙及び皮脂など、人からの分泌物は化粧崩れの原因となるが、特にメークアップにおいては、化粧料が配合されている油剤に皮膚から分泌される皮脂が加わり、過剰に化粧料の粉体を濡らすことが化粧崩れの大きな要因となっている。そこで、皮膚上に残る化粧料中の油剤を減らすために、配合される油剤の一部として、デカメチルシクロペンタシロキサン等の揮発性油剤を用いることが検討されてきた。
【０００３】
また、摩擦や水等も化粧持ちを悪化させる外的要因となる。そこで、汗や涙などの水溶性物質によって起こる化粧持ちの悪さを改良するために、或いは皮膚中の水溶性成分や皮脂等が失われることを防ぎ、皮膚の保護効果を持続させる目的で、シリコーン油を配合して撥水性を高くすることが行なわれている。油中水型乳化組成物においては、さっぱりとしてべたつきが少なく、撥水性の良いものを得るために油剤としてシリコーン油が使用されているが、このシリコーン油を含有する油中水型乳化物においては、従来用いられているポリオキシアルキレン脂肪酸エステル系等の乳化剤を用いて安定性の良い乳化物を得る事が困難であった。
【０００４】
そこで、上記油中水型乳化物に対して、シリコーン油と相溶性の良いポリオキシアルキレン変性オルガノポリシロキサン（ポリエーテル変性シリコーン）を使用する方法が提案されている（特許文献１〜６）。ただし、このような乳化組成物において、優れた乳化安定性を有し、経時安定性を確保するには未だ問題があり、特に、化粧料に用いられる場合には、シリコーンオイルやその他一般の化粧料に使用される油剤に対して、これら油剤の特性を保ちつつ、優れた乳化安定性を有し、経時安定性を確保する界面活性剤が望まれていた。また、化粧料が、粉体を含む場合には、粉体の凝集等の変化がなく粉体の分散安定性に優れていることが求められている。また、デンドリマー状のシリコーン分岐構造を持つポリエーテル変性シリコーンも知られているが、デンドリマーシリコーン部分の構造が特殊であり、製造に複雑な工程が必要なことから、製造コストが高く、さらに、単一の生成物を得ることが困難であるという問題があった（特許文献６）。
【先行技術文献】
【特許文献】
【０００５】
【特許文献１】特開平７−２５９８７号公報
【特許文献２】特開２００２−３２７１２６号公報
【特許文献３】特開２００９−２５６６７０号公報
【特許文献４】特開２０１０−１６３６０２号公報
【特許文献５】特許第４７６６２２２号公報
【特許文献６】ＷＯ２０１１−０４９２４６号公報
【発明の概要】
【発明が解決しようとする課題】
【０００６】
本発明は上記事情に鑑みなされたもので、乳化安定性、経時安定性に優れ、化粧持続性の良好な化粧料を与えることができるオルガノポリシロキサン、また粉体に対する分散特性に優れているオルガノポリシロキサンを提供することを目的とする。
【課題を解決するための手段】
【０００７】
上記課題を解決するために、本発明によれば、下記平均組成式（１）で表されるオルガノポリシロキサンを提供する。
【化１】
0005583710.tif 000002
（上記一般式（１）中、Ｒ１はそれぞれ独立に、炭素数１〜１２個の１価の炭化水素基であり、Ｒ２は水素原子、炭素数１〜１５の１価の炭化水素基、及び炭素数１〜６の１価のアシル基のいずれかであり、ｎは０〜１０００の整数であり、ｍは２または３であり、Ｘは炭素数２〜１５の２価の炭化水素基であり、Ｙはｍが２のときに下記式
【化２】
0005583710.tif 000003
、ｍが３のときに炭素原子であり、ｓは０〜１００の整数であり、ｔは０〜５０の整数であり、ｚは０〜５０の整数である。）
【０００８】
上記特定の構造を持つオルガノポリシロキサンは、１分子内において１つの親水基から特定のスペーサーを介して分岐した形で疎水基である鎖状のポリシロキサン鎖が２乃至３本伸びており、ポリシロキサン鎖の広がりが大きいことが特徴であり、これを含む化粧料は、乳化安定性、経時安定性に優れ、化粧持続性の良好な化粧料を与えることができる。また、該オルガノポリシロキサンが粉体に対する分散安定性に優れている。
【０００９】
また、本発明では前記オルガノポリシロキサンを含有するものであることを特徴とする化粧料を提供する。
【００１０】
本発明の化粧料は、乳化安定性、経時安定性に優れ、化粧持続性が良好である。また、本発明の前記オルガノポリシロキサンと粉体とシリコーン油からなる化粧料は分散安定性が良好である。
【００１１】
また、本発明では、下記平均組成式（２）で表される化合物と下記一般式（３）で表される化合物を、遷移金属触媒存在下で反応させることを特徴とするオルガノポリシロキサンの製造方法を提供する。
【化３】
0005583710.tif 000004
（上記一般式（２）中、Ｒ１はそれぞれ独立に、炭素数１〜１２個の１価の炭化水素基であり、ｎは０〜１０００の整数である。）
【化４】
0005583710.tif 000005
（上記一般式（３）中、Ｘ’は末端に炭素−炭素２重結合を持つ炭素数２〜１５の２価の炭化水素基であり、ｍは２または３であり、Ｙはｍが２のときに下記式
【化５】
0005583710.tif 000006
、ｍが３のときに炭素原子であり、Ｒ２は水素原子、炭素数１〜１５の１価の炭化水素基、及び炭素数１〜６の１価のアシル基のいずれかであり、ｓは０〜１００の整数であり、ｔは０〜５０の整数であり、ｚは０〜５０の整数である。）
【００１２】
このようなオルガノポリシロキサンの製造方法であれば、上記式（１）で表されるオルガノポリシロキサンを効率良く製造することができる。
【００１３】
また、前記遷移金属触媒が、白金及びロジウムのうち少なくとも１つを含むことが好ましい。
【００１４】
このような遷移金属触媒であれば、上記平均組成式（２）で表される化合物と上記一般式（３）で表される化合物との反応が、良好に進行するために好ましい。
【発明の効果】
【００１５】
本発明のオルガノポリシロキサンは乳化安定性、経時安定性に優れ、化粧持続性の良好な化粧料を与える。また、該オルガノポリシロキサンは粉体に対する分散特性に優れている。
【発明を実施するための形態】
【００１６】
以下、本発明をより詳細に説明する。
新規オルガノポリシロキサン
本発明によれば、下記平均組成式（１）で表されるオルガノポリシロキサンを提供する。
【化６】
0005583710.tif 000007
（上記一般式（１）中、Ｒ１はそれぞれ独立に、炭素数１〜１２個の１価の炭化水素基であり、Ｒ２は水素原子、炭素数１〜１５の１価の炭化水素基、及び炭素数１〜６の１価のアシル基のいずれかであり、ｎは０〜１０００の整数であり、ｍは２または３であり、Ｘは炭素数２〜１５の２価の炭化水素基であり、Ｙはｍが２のときに下記式
【化７】
0005583710.tif 000008
、ｍが３のときに炭素原子であり、ｓは０〜１００の整数であり、ｔは０〜５０の整数であり、ｚは０〜５０の整数である。）
【００１７】
上記一般式（１）において、Ｒ１はそれぞれ独立に、炭素数１〜１２個の１価の炭化水素基である。Ｒ１としては、メチル基、エチル基、プロピル基、ブチル基、ペンチル基、ヘキシル基、ヘプチル基、オクチル基、ノニル基、デシル基等のアルキル基、シクロペンチル基、シクロヘキシル基等のシクロアルキル基、フェニル基、トリル基、ベンジル基、フェネチル基等が挙げられる。好ましくはメチル基、ブチル基、フェニル基である。さらに、Ｒ１の５０％以上がメチル基であることが好ましく、最も好ましくはＲ１の７０％以上がメチル基である。
【００１８】
Ｒ２は水素原子、炭素数１〜１５の１価の炭化水素基、及び炭素数１〜６の１価のアシル基のいずれかである。Ｒ２としては、水素原子、メチル基、エチル基、プロピル基、ブチル基、ペンチル基、ヘキシル基等のアルキル基、フェニル基、アセチル基、プロピオニル基、ベンゾイル基等のアシル基が挙げられる。
【００１９】
Ｘは炭素数２〜１５の２価の炭化水素基であり、例えば−（ＣＨ２）２−、−（ＣＨ２）３−、−（ＣＨ２）４−、−ＣＨ２ＣＨ（ＣＨ３）ＣＨ２−、−（ＣＨ２）８−、−（ＣＨ２）１１−等が挙げられ、好ましくは、−（ＣＨ２）２−、−（ＣＨ２）３−、−ＣＨ２ＣＨ（ＣＨ３）ＣＨ２−である。
【００２０】
Ｙは炭素原子、または下記式
【化８】
0005583710.tif 000009
であり、ｍ＝２のとき、下記式
【化９】
0005583710.tif 000010
であり、ｍ＝３のとき、炭素原子である。
【００２１】
ｎは０〜１０００の整数であり、好ましくは０〜１００である。ｍは好ましくは２、または３である。ｓは０〜１００であり、好ましくは１〜８０、より好ましくは２〜５０である。ｔは０〜５０であり、好ましくは０〜３０である。ｚは０〜５０であり、好ましくは０〜２０である。また、ｓ＋ｔ＋ｚは、０〜２００であるが、好ましくは１〜１００、より好ましくは２〜５０である。
また、これらのアルキレンエーテル部位はランダム、またはブロック共重合体である。
【００２２】
オルガノポリシロキサンの製造方法
本発明の製造方法は下記平均組成式（２）で表されるオルガノポリシロキサンと下記一般式（３）で表される化合物を遷移金属触媒存在下で反応させる方法である。
【化１０】
0005583710.tif 000011
（上記一般式（２）中、Ｒ１はそれぞれ独立に、炭素数１〜１２個の１価の炭化水素基であり、ｎは０〜１０００の整数である。）
【化１１】
0005583710.tif 000012
（上記一般式（３）中、Ｘ’は末端に炭素−炭素２重結合を持つ炭素数２〜１５の２価の炭化水素基であり、ｍは２または３であり、Ｙはｍが２のときに下記式
【化１２】
0005583710.tif 000013
、ｍが３のときに炭素原子であり、Ｒ２は水素原子、炭素数１〜１５の１価の炭化水素基、及び炭素数１〜６の１価のアシル基のいずれかであり、ｓは０〜１００の整数であり、ｔは０〜５０の整数であり、ｚは０〜５０の整数である。）
【００２３】
上記一般式（３）中、Ｘ’は、末端に炭素−炭素２重結合を持つ炭素数２〜１５の２価炭化水素基であり、例えばＣＨ＝ＣＨ−、ＣＨ＝ＣＨ−ＣＨ２−、ＣＨ＝ＣＨ−（ＣＨ２）２−、ＣＨ＝Ｃ（ＣＨ３）ＣＨ２−、ＣＨ＝ＣＨ−（ＣＨ２）６−、ＣＨ＝ＣＨ−（ＣＨ２）９−等が挙げられ、好ましくは、ＣＨ＝ＣＨ−ＣＨ２−、ＣＨ＝Ｃ（ＣＨ３）ＣＨ２−である。
Ｙ、Ｒ２、ｎ、ｍ、ｓ、ｔ、ｚは前記と同じである。
【００２４】
上記一般式（３）で表される化合物の製造方法として好ましいのは、トリメチロールプロパンジアリルエーテル、ペンタエリスリトールトリアリルエーテルを出発原料として、塩基、または酸触媒存在下でエチレンオキサイド、プロピレンオキサイド、及びブチレンオキサイドをそれぞれ単独、または同時に付加させることによって得られる。ヒドロキシ基に対して上記のアルキレンオキシドを付加反応させる方法は公知技術である。トリメチロールプロパンジアリルエーテル、及びペンタエリスリトールトリアリルエーテルは純度が５０％以上が好ましく、より好ましくは７０％以上である。
【００２５】
遷移金属触媒としては、白金触媒又はロジウム触媒が挙げられる。好ましくは、塩化白金酸、アルコール変性塩化白金酸、塩化白金酸−ジビニルシロキサン錯体である。触媒の使用量は、触媒として有効な量であってよいが、通常白金又はロジウム量で０．１〜１００ｐｐｍ、好ましくは０．５〜５０ｐｐｍ、より好ましくは１〜２０ｐｐｍである。
【００２６】
反応温度は特に限定されないが、有機溶剤を用いる場合はその沸点以下であり、無溶剤の場合は５０℃以上１４０℃以下で行うのが好ましい。１４０℃以下であれば末端の炭素−炭素２重結合が内部転移する恐れがなく、反応性もより効率的となる。反応時間は特に限定されないが１〜１０時間反応させることが好適である。
【００２７】
本反応は必要に応じて有機溶剤中で行ってもよい。有機溶剤としては、例えばトルエン、キシレン等の芳香族炭化水素、エタノール、イソプロピルアルコール等の低級アルコール、ｎ−ペンタン、ｎ−ヘキサン、シクロヘキサン等の脂肪族又は脂環式炭化水素、ジクロロメタン、クロロホルム、四塩化炭素等のハロゲン化炭化水素、テトラヒドロフラン、ジオキサン等のエーテル等が挙げられる。好ましくは、芳香族、脂肪族、若しくは脂環式炭化水素溶剤、又は低級アルコールを使用する。
【００２８】
反応当量は一般式（２）のオルガノポリシロキサン１当量に対して、０．７〜１．３当量の一般式（３）の化合物を用いることが好ましく、より好ましくは０．９〜１．１当量である。
【００２９】
本発明のポリオキシアルキレン基含有オルガノポリシロキサンは、例えば、パーソナルケア組成物、化粧料、繊維処理、塗料、樹脂改質等の用途に使用することができる。
【００３０】
化粧料
本発明の化粧料は、本発明のオルガノポリシロキサン化合物、特に前記製造方法により製造されたポリオキシアルキレン基含有オルガノポリシロキサン化合物をそのまま含有してもよい。
【００３１】
本発明の化粧料には、上記オルガノポリシロキサン化合物以外に、通常の化粧料に使用される固体、半固体又は液状の油剤、水、アルコール類、水溶性高分子、皮膜形成剤、界面活性剤、油溶性ゲル化剤、有機変性粘土鉱物、樹脂、粉体、紫外線吸収剤、保湿剤、防腐剤、抗菌剤、香料、塩類、酸化防止剤、ｐＨ調整剤、キレート剤、清涼剤、抗炎症剤、美肌用成分、ビタミン類、アミノ酸類、核酸、ホルモン、包接化合物等を添加することができる。以下に例を挙げるが、本発明はこれらによって限定されるものではない。
【００３２】
本発明で使用することのできる油剤としては、下記のものが例示される。但し、ＰＯＥはポリオキシエチレンを意味する。天然動植物油脂類、及び半合成油類としては、アボガド油、アマニ油、アーモンド油、イボタロウ、エノ油、オリーブ油、カカオ脂、カポックロウ、カヤ油、カルナバロウ、肝油、キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。
【００３３】
炭化水素油類としては、オゾケライト、スクワラン、スクワレン、セレシン、パラフィン、パラフィンワックス、流動パラフィン、プリスタン、ポリイソブチレン、マイクロクリスタリンワックス、ワセリン、高級脂肪酸類としては、ラウリン酸、ミリスチン酸、パルミチン酸、ステアリン酸、ベヘン酸、ウンデシレン酸、オレイン酸、リノール酸、リノレイン酸、アラキドン酸、エイコサペンタエン酸、ドコサヘキサエン酸、イソステアリン酸、１２−ヒドロキシステアリン酸等が挙げられる。
【００３４】
高級アルコール類としては、ラウリルアルコール、ミリスチルアルコール、パルミチルアルコール、ステアリルアルコール、べヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリンエーテル（セラキルアルコール）等が挙げられる。
【００３５】
エステル油類としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、ジ−２−エチルヘキサン酸ネオペンチルグリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリン酸コレステリル、ジペンタエリスリトール脂肪酸エステル、ミリスチン酸イソプロピル、ミリスチン酸２−オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル、デキストリンパルミチン酸エステル、デキストリンステアリン酸エステル、デキストリン２−エチルヘキサン酸パルミチン酸エステル、ショ糖パルミチン酸エステル、ショ糖ステアリン酸エステル、モノベンゾリデンソルビトール、ジベンジリデンソルビトール等が挙げられる。
【００３６】
グリセライド油類としては、アセトグリセリル、ジイソオクタン酸グリセリル、トリイソステアリン酸グリセリル、トリイソパルミチン酸グリセリル、トリ−２−エチルヘキサン酸グリセリル、モノステアリン酸グリセリル、ジ−２−ヘプチルウンデカン酸グリセリル、トリミリスチン酸グリセリル等が挙げられる。
【００３７】
シリコーン油類としては、ジメチルポリシロキサン、メチルフェニルポリシロキサン、メチルハイドロジェンポリシロキサン、オクタメチルシクロテトラシロキサン、デカメチルシクロペンタシロキサン、ドデカメチルシクロヘキサンシロキサン、テトラメチルテトラハイドロジェンシクロテトラシロキサン、ステアロキシシリコーン等の高級アルコキシ変性シリコーン、高級脂肪酸変性シリコーン、フッ素変性シリコーン、アミノ変性シリコーン、アルキル変性シリコーン、高級脂肪酸エステル変性シリコーン、シリコーン樹脂、シリコーンゴム、ジリコーンレジン、フッ素系油類としては、パーフルオロポリエーテル、パーフルオロデカリン、パーフルオロオクタン等が挙げられる。
【００３８】
これらの油剤は、必要に応じて１種又は２種以上を用いることができる。本発明の化粧料には、上記油剤を０〜９０．０質量％含有させることができるが、特に１〜９０質量％含有させることが好ましい。本発明の化粧料の構成成分として水を含有させる場合の水の使用量は０〜９９．０質量％である。
【００３９】
本発明で使用することのできるアルコール類としては、エタノール、プロパノール、エチレングリコール、エチレングリコールモノアルキルエーテル、シホエチレングリコールモノエチルエーテル、ポリエチレングリコール、プロピレングリコール、ジプロピレングリコール、１，３−ブチレングリコール、グリセリン、ジグリセリン、ポリグリセリン、ペンタエリスリトール、ショ糖、乳糖、キシリトール、ソルビトール、マンニトール、マルチトール、カラギーナン、寒天、グアーガム、テやキストリン、トラガントガム、ローカストビンガム、ポリビニルアルコール、ポリオキシエチレン系高分子、ポリオキシエチレンポリオキシプロピレン共重合体系高分子、ヒアルロン酸、コンドロイチン硫酸、キチンキトサン等が挙げられ、これらは必要に応じて１種又は２種以上を用いることができる。これらアルコール類の化粧料中への含有率は０．１〜９０．０質量％であり、好ましくは０．５〜５０．０質量％である。０．１質量％以上であれば、保湿性、防菌、防バイ性に対し十分であり、９０．０質量％以下であれば本発明の粉体組成物の効果を十分発揮できるために好ましい。
【００４０】
本発明の化粧料は前記構成成分だけで優れたものを得ることができるが、更に必要に応じて以下の成分ｉ）、ｉｉ）、ｉｉｉ）、ｉｖ）を加えることができる。
ｉ）下記例示の粉体（着色剤含む）
無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックパウダー、第二リン酸カルシウム、アルミナ、水酸化アルミニウム、窒化ホウ素、窒化ボロン、シリカ等が挙げられる。
【００４１】
有機粉体としては、ポリアミドパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、テトラフルオロエチレンパウダー、ポリメチルメタクリレートパウダー、セルロースパウダー、シルクパウダー、１２ナイロン、６ナイロン等のナイロンパウダー、その他スチレン・アクリル酸共重合体、ジビニルベンゼン、スチレン共重合体、ビニル樹脂、尿素樹脂、フェノール樹脂、フッ素樹脂、ケイ素樹脂、アクリル樹脂、メラミン樹脂、エポキシ樹脂、ポリカーボネート樹脂、微結晶繊維粉体、デンプン、ラウロイルリジン等のパウダー等が挙げられる。
【００４２】
界面活性剤金属塩粉体（金属石鹸）として、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等が挙げられる。
【００４３】
有色顔料として、酸化鉄、水酸化鉄、チタン酸鉄の無機赤色系顔料、γ−酸化鉄等の無機褐色系顔料、黄酸化鉄、黄土等の無機黄色系顔料、黒酸化鉄、カーボンブラック等の無機黒色系顔料、マンガンバイオレット、コバルトバイオレット等の無機紫色系顔料、水酸化クロム、酸化クロム、酸化コバルト、チタン酸コバルト等の無機緑色系顔料、紺青、群青等の無機青色系顔料、タール系色素をレーキ化したもの、天然色素をレーキ化したもの、及びこれらの粉体を複合化した複合粉体等が挙げられる。
【００４４】
パール顔料としては、酸化チタン被覆雲母、オキシ塩化ビスマス、酸化チタン被覆オキシ塩化ビスマス、酸化チタン被覆タルク、魚鱗箔、酸化チタン被覆着色雲母等、金属粉末顔料としては、アルミニウムパウダー、カッパーパウダー、ステンレスパウダー等が挙げられる。
【００４５】
タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、燈色２０７号等、天然色素としては、カルミン酸、ラッカイン酸、カルサミン、ブラジリン、クロシン等が挙げられる。
【００４６】
これらは通常の化粧品に使用されるものであれぱ、その形状（球状、針状、板状等）や粒子径（煙霧状、微粒子、顔料級等）、粒子構造（多孔質、無孔質等）を問わず、いずれも使用することができる。また、これらの粉体同士を複合化することができる他、油剤や本発明のポリオキシアルキレン基含有オルガノポリシロキサン化合物以外のシリコーン、又はフッ素化合物等で表面処理を行ってもよい。
【００４７】
ｉｉ）下記例示の界面活性剤
アニオン性界面活性剤としては、ステアリン酸ナトリウム、オレイン酸トリエタノールアミン等の飽和、又は不飽和脂肪酸セッケン、アルキルエーテルカルボン酸及びその塩、アミノ酸と脂肪酸の縮合物等のカルボン酸塩、アミドエーテルカルボン酸塩、α−スルホ脂肪酸エステル塩、α−アシルスルホン酸塩、アルキルスルホン酸塩、アルケンスルホン酸塩、脂肪酸エステルのスルホン酸塩、脂肪酸アミドのスルホン酸塩、アルキルスルホン酸塩及びそのホルマリン縮合物のスルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、アルケニルリン酸塩、エーテルリン酸塩、アルキルアリルエーテルリン酸塩、アルキルアミドリン酸塩、Ｎ−アシルアミノ酸系活性剤等が挙げられる。
【００４８】
カチオン性界面活性剤としては、アルキルアミン塩、ポリアミン及びアミノアルコール脂肪酸誘導体等のアミン塩、アルキル四級アンモニウム塩、芳香属四級アンモニウム塩、ピリジウム塩、イミダゾリウム塩等が挙げられる。
【００４９】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、ポリオキシアルキレン変性オルガノポリシロキサン、ポリオキシアルキレン・アルキル共変性オルガノポリシロキサン、ポリオキシアルキレン・フルオロアルキル共変性オルガノポリシロキサン、ポリオキシアルキレン・オルガノポリシロキサンブロック共重合体、アルカノールアミド、糖エーテル、糖アミド等が挙げられる。
【００５０】
両性界面活性剤としては、ベタイン、アミノカルボン酸塩、イミダゾリン誘導体等が挙げられる。
【００５１】
ｉｉｉ）架橋型オルガノポリシロキサン
本発明の化粧料には、その目的に応じて１種又は２種以上の本発明のオルガノポリシロキサン以外の架橋型オルガノポリシロキサンを用いることもできる。この架橋型オルガノポリシロキサンは、０．６５〜１０．０ｍｍ２／秒（２５℃）の低粘度シリコーンに対し、自重以上の低粘度シリコーンを含んで膨潤することが好ましい。また、この架橋型オルガノポリシロキサンは、分子中に二つ以上のビニル性反応部位を持つ架橋剤とケイ素原子に直接結合した水素原子との反応により形成した架橋構造を有することが好ましい。更に、この架橋型オルガノポリシロキサンは、ポリオキシアルキレン部分、アルキル部分、アルケニル部分、アリール部分、及びフルオロアルキル部分からなる群から選択される少なくとも１種の部分を含有することが好ましい。架橋型オルガノポリシロキサンを用いる場合の配合量は、化粧料の総量に対して０．１〜３０質量％であることが好ましく、特に、１〜１０質量％であることが好ましい。
【００５２】
ｉｖ）アクリル／シリコーングラフト又はブロック共重合体、並びにシリコーン網状化合物等のシリコーン樹脂
本発明の化粧料には、その目的に応じてアクリル／シリコーンのグラフト又はブロック共重合体、シリコーン網状化合物等から選択された少なくとも１種のシリコーン樹脂を用いることもできる。このシリコーン樹脂は、本発明においては特にアクリルシリコーン樹脂であることが好ましい。また、このシリコーン樹脂は、ピロリドン部分、長鎖アルキル部分、ポリオキシアルキレン部分及びフルオロアルキル部分からなる群から選択される少なくとも１種を分子中に含有するアクリルシリコーン樹脂であることが好ましい。更にこのシリコーン樹脂はシリコーン網状化合物であることが好ましい。このようなアクリル／シリコーンのグラフト又はブロック共重合体、シリコーン網状化合物等のシリコーン樹脂を用いる場合の配合量は、化粧料の総量に対して０．１〜２０質量％であることが好ましく、特に１〜１０質量％であることが好ましい。
【００５３】
本発明の化粧料の具体的な用途は、メークアップ製品、毛髪化粧料、紫外線防御製品等が好ましいものとして挙げられる。また、製品の形態についても特に限定はないが、液状、乳液状、クリーム状、固形状、ペースト状、ゲル状、粉末状、多層状、ムース状、スプレー状等にすることが可能である。
【００５４】
本発明の化粧料の特に好ましい用途としては、毛髪化粧料が挙げられる。毛髪化粧料中の、本発明のオルガノポリシロキサン化合物の含有量は、良好なコンディショニング効果とその持続性を得る観点から、０．１〜２０質量％（以下、単に％で示す）が好ましく、１〜１０％がより好ましく、１〜５％が更に好ましい。
【００５５】
毛髪化粧料には、更に油剤、特に毛髪に対してコンディショニング作用を有する油剤を配合してもよい。油剤としては、例えば低級アルコール、炭素数１２〜３０の飽和又は不飽和アルコール；前記アルコールと多価アルコールとのエーテル；前記アルコールと炭素数１〜１１の脂肪酸とのエステル；炭素数１２〜３０の飽和又は不飽和脂肪酸；前記脂肪酸と一価又は多価アルコールとのエステル；前記脂肪酸とアミンとのアミド；ステロール；スクアレン；リン脂質；糖脂質；動物性油脂；植物性油脂；環状、直鎖、又は分岐のジメチルポリシロキサン、メチルポリシロキサン、ポリシロキサン、アルキル変性シリコーン、メチルフェニルポリシロキサン、ポリエーテル変性シリコーンから選ばれる１種以上のシリコーン等が挙げられる。
【００５６】
これら油剤の毛髪化粧料への配合量は、好ましくは０．０１〜３０％、より好ましくは１〜２５％、更に好ましくは３〜２０％である。
【００５７】
更に、毛髪化粧料には、必要に応じてヒドロキシエチルセルロース等の増粘剤、界面活性剤、アニオン性・両性・カチオン性・非イオン性重合物、香料、パール化剤、毛髪セット用ポリマー、色素、紫外線吸収剤、酸化防止剤、防腐剤等を配合してもよい。
【００５８】
界面活性剤としては、通常の毛髪化粧料に用いられるものであれば特に制限されず、アニオン性界面活性剤、非イオン性界面活性剤、両性界面活性剤、カチオン性界面活性剤のいずれをも好適に使用することができる。
【００５９】
毛髪化粧料に配合されるアニオン性界面活性剤としては、例えば以下に示すものが挙げられる。
アルキルベンゼンスルホン酸塩、好ましくは平均炭素数１０〜１６のアルキル基を有する直鎖又は分岐鎖のアルキルベンゼンスルホン酸塩。
アルキルエーテル硫酸塩又はアルケニルエーテル硫酸塩、好ましくは平均炭素数１０〜２０の直鎖又は分岐鎖のアルキル基又はアルケニル基を有し、１分子内に平均０．５〜８モルのエチレンオキサイド、プロピレンオキサイド、ブチレンオキサイド、エチレンオキサイドとプロピレンオキサイドが０．１／９．９〜９．９／０．１のモル比で、あるいはエチレンオキサイドとブチレンオキサイドが０．１／９．９〜９．９／０．１のモル比で付加したアルキルエーテル硫酸塩又はアルケニルエーテル硫酸塩。アルキル硫酸塩又はアルケニル硫酸塩、好ましくは平均炭素数１０〜２０のアルキル基又はアルケニル基を有するアルキル硫酸塩又はアルケニル硫酸塩。オレフィンスルホン酸塩、好ましくは平均１０〜２０の炭素原子を１分子中に有するオレフィンスルホン酸塩。アルカンスルホン酸塩、好ましくは平均１０〜２０の炭素原子を１分子中に有するアルカンスルホン酸塩。高級脂肪酸塩、好ましくは平均１０〜２４の炭素原子を１分子中に有する飽和又は不飽和脂肪酸塩。（アミド）エーテルカルボン酸型界面活性剤。α−スルホ脂肪酸塩又はエステル、好ましくは平均１０〜２０の炭素原子からなるアルキル基又はアルケニル基を有するα−スルホ脂肪酸塩又はエステル。Ｎ−アシルアミノ酸型界面活性剤、好ましくは炭素数８〜２４のアシル基及び遊離カルボン酸残基を有するＮ−アシルアミノ酸型界面活性剤（例えばＮ−アシルザルコシネート、Ｎ−アシル−β−アラニン等）。リン酸エステル型界面活性剤、好ましくは炭素数８〜２４のアルキル基もしくはアルケニル基又はそれらのアルキレンオキサイド付加物を有するリン酸モノ又はジエステル型界面活性剤。スルホコハク酸エステル型界面活性剤、好ましくは炭素数８〜２２の高級アルコールもしくはそのエトキシレート等のスルホコハク酸エステル又は高級脂肪酸アミド由来のスルホコハク酸エステル。ポリオキシアルキレン脂肪酸アミドエーテル硫酸塩、好ましくは炭素数８〜２４の直鎖又は分岐鎖の飽和又は不飽和の脂肪酸モノエタノールアミド又はジエタノールアミドのエトキシレート等の硫酸塩。モノグリセライド硫酸エステル塩、好ましくは炭素数８〜２４の直鎖又は分岐鎖の飽和又は不飽和の脂肪酸基を有するモノグリセライド硫酸エステル塩。アシル化イセチオン酸塩、好ましくは炭素数８〜２４の直鎖又は分岐鎖の飽和又は不飽和の脂肪酸基を有するアシル化イセチオン酸塩。アルキルグリセリルエーテル硫酸塩又はアルキルグリセリルエーテルスルホン酸塩、好ましくは炭素数８〜２４の直鎖もしくは分岐鎖のアルキル基もくしはアルケニル基もしくはそれらのアルキレンオキサイド付加物を有するアルキルグリセリルエーテル硫酸塩又はアルキルグリセリルエーテルスルホン酸塩。アルキル又はアルケニルアミドスルホネート、好ましくは炭素数８〜２４の直鎖又は分岐鎖のアルキル基又はアルケニル基を有するアルキル又はアルケニルアミドスルホネート。アルカノールアミドスルホコハク酸塩、好ましくは炭素数８〜２４の直鎖又は分岐鎖のアルキル基又はアルケニル基を有するアルカノールアミドスルホコハク酸塩。アルキルスルホアセテート、好ましくは炭素数８〜２４の直鎖又は分岐鎖のアルキル基又はアルケニル基を有するアルキルスルホアセテート。アシル化タウレート、好ましくは炭素数８〜２４の直鎖又は分岐鎖の飽和又は不飽和の脂肪酸基を有するアシルタウレート。Ｎ−アシル−Ｎ−カルボキシエチルグリシン塩、好ましくは炭素数６〜２４のアシル基を有するＮ−アシル−Ｎ−カルボキシエチルグリシン塩。
【００６０】
これらのアニオン性界面活性剤の塩、即ちアニオン性残基の対イオンとしては、ナトリウム、カリウム等のアルカリ金属イオン、カルシウム、マグネシウム等のアルカリ土類金属イオン、アンモニウムイオン、炭素数２又は３のアルカノール基を１〜３個有するアルカノールアミン（例えばモノエタノールアミン、ジエタノールアミン、トリエタノールアミン、トリイソプロパノールアミン等）を挙げることができる。
これらのアニオン性界面活性剤のうち、アルキルエーテル硫酸塩、特にポリオキシエチレンアルキルエーテル硫酸塩が好ましい。
【００６１】
毛髪化粧料に配合される非イオン性界面活性剤としては、例えば平均炭素数１０〜２４の直鎖又は分岐鎖のアルキル基又はアルケニル基を有し、エチレンオキサイド、プロピレンオキサイド又はブチレンオキサイドを付加したポリオキシアルキレンアルキルエーテル又はポリオキシアルキレンアルケニルエーテル；炭素数８〜２０の脂肪酸のグリセリンエステル；炭素数８〜２０の脂肪酸のグリコールエステル；炭素数８〜２０の脂肪酸のモノグリセライドのアルキレンオキサイド付加物；炭素数８〜２０の脂肪酸のショ糖エステル；炭素数８〜２０の脂肪酸のソルビタンエステル；炭素数８〜２０のアシル基を有するポリグリセリン脂肪酸エステル；炭素数８〜２０の脂肪酸のモノエタノールアミド又はジエタノールアミド又はそれらのエトキシレート；ポリオキシエチレン硬化ヒマシ油；炭素数８〜２０のアシル基を有するポリオキシアルキレンソルビタン脂肪酸エステル；炭素数８〜２０のアシル基を有するポリオキシエチレンソルビット脂肪酸エステル；炭素数８〜１８の直鎖又は分岐鎖のアルキル基、アルケニル基又はアルキルフェニル基を有するアルキルサッカライド系界面活性剤；炭素数８〜２０の直鎖又は分岐鎖のアルキル基、アルケニル基を有するアルキルアミンオキサイド又はアルキルアミドアミンオキサイド；炭素数８〜２０の直鎖又は分岐鎖のアルキル基又はアルケニル基を有する多価アルコールのエーテル化合物又はエステル化合物；ポリオキシアルキレン変性オルガノポリシロキサン、ポリオキシアルキレン・アルキル共変性オルガノポリシロキサン、ポリグリセリン変性オルガノポリシロキサン、ポリグリセリン・アルキル共変性オルガノポリシロキサン、ポリオキシアルキレン・フルオロアルキル共変性オルガノポリシロキサン、架橋型ポリオキシアルキレン・オルガノポリシロキサン、糖変性シリコーン、オキサゾリン変性シリコーン、ポリオキシアルキレンアルキルアリールエーテル、ポリオキシアルキレンラノリンアルコール、ポリオキシアルキレン脂肪酸エステル、プルロニック型ブロックポリマー、テトロニック型ブロックポリマー、ポリオキシアルキレン脂肪酸アミド、ポリオキシアルキレンアルキルアミド、ポリエチレンイミン誘導体等が挙げられる。
【００６２】
また、両性界面活性剤としては、通常の毛髪化粧料に用いられるものであれば特に制限されず、例えば、アミドアミノ酸型、カルボベタイン型、アミドベタイン型、スルホベタイン型、アミドスルホベタイン型、イミダゾリニウムベタイン型、アミノ酸型、ホスホベタイン型、リン酸エステル型等が挙げられる。
【００６３】
カチオン性界面活性剤としては、第３級アミン、第４級アンモニウム塩、アミドアミン、エステルアミン等が挙げられる。例えばベヘニルトリメチルアンモニウムクロライド、ジステアリルジメチルアンモニウムクロライド、セチルトリメチルアンモニウムクロライド、ステアリルトリメチルアンモニウムクロライド、ラウリルトリメチルアンモニウムクロライド、Ｎ−ステアリル−Ｎ，Ｎ，Ｎ−トリ（ポリオキシエチレン）アンモニウムクロライド（エチレンオキサイド合計３モル付加）、セチルベンジルジメチルアンモニウムクロライド、セチルトリエチルアンモニウムブロマイド、ジステアリルジメチルアンモニウムクロライド等のほか、２−デシルテトラデシルトリメチルアンモニウムクロライド、２−ドデシルヘキサデシルトリメチルアンモニウムクロライド、ジ−２−ヘキシルデシルジメチルアンモニウムクロライド、ジ−２−オクチルドデシルジメチルアンモニウムクロライド、ベヘニル第３級アミン、ステアリル第３級アミン、ステアラミドプロピルジメチルアミン等を挙げることができる。
【００６４】
界面活性剤は、１種又は２種以上を用いることができ、毛髪化粧料中に０．１〜５０％配合するのが好ましく、更に０．５〜４０％、特に１〜３０％配合すると、起泡性に優れるので好ましい。
【００６５】
毛髪化粧料の剤型が、ヘアセット剤、ヘアフォーム剤、ヘアスプレー剤等である場合は、以下に例示するものを毛髪セット用ポリマーとして含有することが好ましい。
ポリビニルピロリドン、ポリビニルピロリドン／酢酸ビニル共重合体、ポリビニルピロリドン／酢酸ビニル／プロピオン酸ビニル架橋共重合体、ポリビニルピロリドン／アルキルアミノアクリレート共重合体、ポリビニルピロリドン／アクリレート／（メタ）アクリル酸共重合体、ポリビニルピロリドン／アルキルアミノアクリレート／ビニルカプロラクタム共重合体。
メチルビニルエーテル／無水マレイン酸アルキルハーフエステル共重合体。
酢酸ビニル／クロトン酸共重合体、酢酸ビニル／クロトン酸／ネオデカン酸ビニル共重合体、酢酸ビニル／クロトン酸／プロピオン酸ビニル共重合体、酢酸ビニル／ｔｅｒｔ−ブチル安息香酸ビニル／クロトン酸共重合体。
（メタ）アクリル酸／（メタ）アクリル酸エステル共重合体、アクリル酸／アクリル酸アルキルエステル／アルキルアクリルアミド共重合体。
（メタ）アクリルエチルベタイン／（メタ）アクリル酸アルキルエステル共重合体、Ｎ−メタクリロイルオキシエチル−Ｎ，Ｎ−ジメチルアンモニウムα−Ｎ−メチルカルボキシベタインと（メタ）アクリル酸アルキルエステルとの共重合体、アクリル酸アルキルエステル／メタクリル酸ブチルアミノエチル／アクリル酸オクチルアミド共重合体。
塩基性アクリル系高分子化合物。
セルロース骨格を有する化合物、カチオン性セルロース誘導体。
ヒドロキシプロピルキトサン、カルボキシメチルキチン、カルボキシメチルキトサン、キトサンとピロリドンカルボン酸、乳酸、グリコール酸等の一価酸、又はアジピン酸、コハク酸等の二価酸との塩。
水分散性ポリエステル。
【００６６】
これらの毛髪セット用ポリマーは、１種又は２種以上を用いることができる。毛髪化粧料中の毛髪セット用ポリマーの配合量は、必要かつ十分なセット力を得る観点から、０．１〜１０％が好ましく、０．５〜６％が更に好ましく、１〜４％が特に好ましい。
【００６７】
毛髪化粧料としては、例えば浴室内で用いるようなヘアシャンプー、ヘアトリートメント、ヘアコンディショナーや、浴室外で用いるヘアフォーム、ヘアスプレー、ヘアクリーム、ヘアワックス、ヘアジェル、更には、ヘアダイ、パーマ、ヘアマニキュア、ヘアブリーチ等、家庭や美容室での施術に用いられる剤等が挙げられ、本発明のオルガノポリシロキサン化合物はこれらのいずれにも配合できる。
【００６８】
油中粉体分散物
また、本発明では、粉体分散剤で処理した処理粉体を油剤に分散してなる油中粉体分散物を提供する。
油中粉体分散物は、粉体処理剤で処理された粉体を油剤中に分散してもよく、あるいは油剤中に粉体処理剤を溶解又は分散し、これに粉体を添加して混合分散処理するようにしてもよく、その形態は液状分散物である。この油中粉体分散物は、例えば下記の方法のような公知の方法によって適宜調製することが可能である。
１．粉体処理剤で処理した処理粉体を、エステル油やシリコーン油等の油剤中に添加して分散する方法。
２．上記の油剤中に粉体処理剤を溶解又は分散し、これに粉体を添加してボールミル、ビーズミル、サンドミル等の分散機器で混合する方法。
【００６９】
得られた油中粉体分散物は、そのまま使用、配合することができる。
粉体は、無機粉体、有機粉体、界面活性剤金属塩粉体（金属石鹸）、有色顔料、パール顔料、金属粉末顔料、タール色素、天然色素のいずれであってもよい。
【００７０】
無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、べントナイト、モンモリロナイト、ヘクトライト、ゼオライト、セラミックパウダー、第二リン酸カルシウム、アルミナ、水酸化アルミニウム、窒化ホウ素、窒化ボロン、シリカ等が挙げられる。化粧料の用途に対しては、マイカ、セリサイト等の体質顔料や、酸化亜鉛、酸化チタン等が好ましい。
【００７１】
有機粉体としては、ポリアミドパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、テトラフルオロエチレンパウダー、ポリメチルメタクリレートパウダー、セルロースパウダー、シルクパウダー、１２ナイロンや６ナイロン等のナイロンパウダーを始め、スチレン・アクリル酸共重合体、ジビニルベンゼン、スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン、ラウロイルリジン等のパウダーが挙げられる。
【００７２】
界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等が挙げられる。
【００７３】
有色顔料としては、酸化鉄、水酸化鉄、チタン酸鉄の無機赤色系顔料、γ−酸化鉄等の無機褐色系顔料、黄酸化鉄、黄土等の無機黄色系顔料、黒酸化鉄、カーボンブラック等の無機黒色系顔料、マンガンバイオレット、コバルトバイオレット等の無機紫色系顔料、水酸化クロム、酸化クロム、酸化コバルト、チタン酸コバルト等の無機緑色系顔料、紺青、群青等の無機青色系顔料、タール系色素をレーキ化したもの、天然色素をレーキ化したもの、及びこれらの粉体を複合化した複合粉体等が挙げられる。
【００７４】
パール顔料としては、酸化チタン被覆雲母、オキシ塩化ビスマス、酸化チタン被覆オキシ塩化ビスマス、酸化チタン被覆タルク、魚鱗箔、酸化チタン被覆着色雲母等、金属粉末顔料としては、アルミニウムパウダー、カッパーパウダー、ステンレスパウダー等が挙げられる。
【００７５】
タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等、天然色素としては、カルミン酸、ラッカイン酸、カルサミン、ブラジリン、クロシン等が挙げられる。
【００７６】
これらの粉体は、その形状（球状、針状、板状等）や粒子径（煙霧状、微粒子、顔料級等）、粒子構造（多孔質、無孔質等）を問わず、いずれも使用することができる。また、これらの粉体同士を複合化したり、油剤や、シリコーン、又はフッ素化合物で表面処理を行ったものであってもよい。
【００７７】
油剤としては、シリコーン系ではジメチルポリシロキサン、メチルフェニルポリシロキサン、オクタメチルシクロテトラシロキサン（Ｄ４）、デカメチルシクロペンタシロキサン（Ｄ５）、ドデカメチルシクロヘキサシロキサン（Ｄ６）、デカメチルテトラシロキサン（Ｍ３Ｔ）、ステアロキシシリコーン等の高級アルコキシ変性シリコーン、高級脂肪酸変性シリコーン、フッ素変性シリコーン、アミノ変性シリコーン、アルキル変性シリコーン、高級脂肪酸エステル変性シリコーン、フッ素系油類としては、パーフルオロポリエーテル、パーフルオロデカリン、パーフルオロオクタン等、グリセライド油類としては、アセトグリセリル、ジイソオクタン酸グリセリル、トリイソステアリン酸グリセリル、トリイソパルミチン酸グリセリル、トリ−２−エチルヘキサン酸グリセリル、モノステアリン酸グリセリル、ジ−２−ヘプチルウンデカン酸グリセリル、トリミリスチン酸グリセリル等エステル油類としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、ジ−２−エチルヘキサン酸ネオペンチルグリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、パルミチン酸イソプロピル、パルミチン酸２−エチルヘキシル、パルミチン酸２−ヘキシルデシル、パルミチン酸２−ヘプチルウンデシル、１２−ヒドロキシステアリン酸コレステリル、ジペンタエリスリトール脂肪酸エステル、ミリスチン酸イソプロピル、ミリスチン酸２−オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル、デキストリンパルミチン酸エステル、デキストリンステアリン酸エステル、デキストリン２−エチルヘキサン酸パルミチン酸エステル、ショ糖パルミチン酸エステル、ショ糖ステアリン酸エステル、モノベンゾリデンソルビトール、ジベンジリデンソルビトール等、炭化水素油類としては、オゾケライト、スクワラン、スクワレン、セレシン、パラフィン、流動パラフィン、プリスタン、ポリイソブチレン等、アルコール類としては、エタノール、プロパノール、エチレングリコール、エチレングリコールモノアルキルエーテル、シホエチレングリコールモノエチルエーテル、ポリエチレングリコール、プロピレングリコール、ジプロピレングリコール、１，３−ブチレングリコール、グリセリン、ジグリセリン、ポリグリセリン等、天然動植物油脂類、及び半合成油類としては、アボガド油、アマニ油、アーモンド油、イボタロウ、エノ油、オリーブ油、カカオ脂、カポックロウ、カヤ油、カルナバロウ、肝油、キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。ただし、ＰＯＥはポリオキシエチレンを意味する。
【００７８】
粉体１００質量部に対して分散剤を０．１〜３０質量部、好ましくは０．５〜１０質量部使用する。このような分散体は、パーソナルケア、特に化粧料組成物、各種熱可塑性又は熱硬化性組成物やゴム組成物等に充填剤として配合することができる。
【実施例】
【００７９】
以下、実施例及び比較例を示し、本発明を具体的に説明するが、本発明は下記の実施例に制限されるものではない。なお、特に特記のない表中の各成分の量は純分換算した量であり、動粘度はオストワルド粘度計を用いた２５℃における測定値である。
【００８０】
（実施例１）
反応器に下記平均組成式
【化１３】
0005583710.tif 000014
で表される動粘度５３ｍｍ２／ｓ（２５℃）のオルガノハイドロジェンポリシロキサン１００質量部、２−プロパノール３０質量部、下記で表されるビニル価３．２８ｍｍｏｌ／ｇのポリオキシアルキレン化合物６．８質量部、塩化白金酸の１−ブタノール溶液（白金３重量％）０．０２質量部を加え、８０℃にて４時間撹拌した。この反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【化１４】
0005583710.tif 000015
（Ｘ’＝  ＣＨ２＝ＣＨ−ＣＨ２−、
【化１５】
0005583710.tif 000016
、ｓ＝９、ｍ＝２）
得られた反応混合物を減圧下、１２０℃で減圧ストリップすることにより、溶剤を取り除き、無色透明液体で動粘度２７０ｍｍ２／ｓ（２５℃）のポリオキシアルキレン変性オルガノポリシロキサンを得た。
【００８１】
（実施例２）
反応器に下記平均組成式
【化１６】
0005583710.tif 000017
で表される動粘度５３ｍｍ２／ｓ（２５℃）のオルガノハイドロジェンポリシロキサン１００質量部、テトラヒドロフラン３０質量部、下記で表されるビニル価４．４４ｍｍｏｌ／ｇのポリオキシアルキレン化合物５．３質量部、塩化白金酸の１−ブタノール溶液（白金３重量％）０．０２質量部を加え、７０℃にて５時間撹拌した。この反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【化１７】
0005583710.tif 000018
（Ｘ’＝  ＣＨ２＝ＣＨ−ＣＨ２−、
【化１８】
0005583710.tif 000019
ｓ＝９、ｍ＝３）
得られた反応混合物を減圧下、１１０℃で減圧ストリップすることにより、溶剤を取り除き、淡黄色微濁液体で動粘度１７０ｍｍ２／ｓ（２５℃）のポリオキシアルキレン変性オルガノポリシロキサンを得た。
【００８２】
（実施例３）
反応器に下記平均組成式
【化１９】
0005583710.tif 000020
で表される動粘度５．４ｍｍ２／ｓ（２５℃）のオルガノハイドロジェンポリシロキサン２００質量部、トルエン５０質量部、下記で表されるビニル価４．４４ｍｍｏｌ／ｇのポリオキシアルキレン化合物５６質量部、塩化白金酸の１−ブタノール溶液（白金３重量％）０．０３質量部を加え、１００℃にて４時間撹拌した。この反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【化２０】
0005583710.tif 000021
（Ｘ’＝  ＣＨ２＝ＣＨ−ＣＨ２−、
【化２１】
0005583710.tif 000022
ｓ＝９、ｍ＝３）
得られた反応混合物を減圧下、１３０℃で減圧ストリップすることにより、溶剤を取り除き、淡黄色固体（２０℃）のポリオキシアルキレン変性オルガノポリシロキサンを得た。
【００８３】
（実施例４）
反応器に下記平均組成式
【化２２】
0005583710.tif 000023
で表される動粘度２７０ｍｍ２／ｓ（２５℃）のオルガノハイドロジェンポリシロキサン３００質量部、２−プロパノール１００質量部、下記で表されるビニル価０．９７１ｍｍｏｌ／ｇのポリオキシアルキレン化合物２６質量部、塩化白金酸の１−ブタノール溶液（白金３重量％）０．０３質量部を加え、８５℃にて７時間撹拌した。この反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【化２３】
0005583710.tif 000024
（Ｘ’＝  ＣＨ２＝ＣＨ−ＣＨ２−、
【化２４】
0005583710.tif 000025
ｓ＝１８、ｔ＝１８、ｍ＝２）
得られた反応混合物を減圧下、１１０℃で減圧ストリップすることにより、溶剤を取り除き、淡黄色微濁液体で動粘度１０１０ｍｍ２／ｓ（２５℃）のポリオキシアルキレン変性オルガノポリシロキサンを得た。
【００８４】
（実施例５）
反応器に下記平均組成式
【化２５】
0005583710.tif 000026
で表される動粘度２４ｍｍ２／ｓ（２５℃）のオルガノハイドロジェンポリシロキサン５００質量部、２−プロパノール１５０質量部、下記で表されるビニル価２．６１ｍｍｏｌ／ｇのポリオキシアルキレン化合物８４質量部、塩化白金酸の１−ブタノール溶液（白金３重量％）０．０６質量部を加え、８５℃にて５時間撹拌した。この反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【化２６】
0005583710.tif 000027
（Ｘ’＝  ＣＨ２＝Ｃ（ＣＨ３）−ＣＨ２−、
【化２７】
0005583710.tif 000028
ｓ＝１８、ｍ＝３）
得られた反応混合物を減圧下、１１０℃で減圧ストリップすることにより、溶剤を取り除き、淡黄色固体（２０℃）のポリオキシアルキレン変性オルガノポリシロキサンを得た。
【００８５】
（実施例６）
反応器に下記平均組成式
【化２８】
0005583710.tif 000029
で表される動粘度５．４ｍｍ２／ｓ（２５℃）のオルガノハイドロジェンポリシロキサン１００質量部、２−プロパノール２０質量部、下記で表されるビニル価５．１２ｍｍｏｌ／ｇのポリオキシアルキレン化合物２５質量部、塩化白金酸の１−ブタノール溶液（白金３重量％）０．０１質量部を加え、８０℃にて４時間撹拌した。この反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【化２９】
0005583710.tif 000030
（Ｘ’＝  ＣＨ２＝ＣＨ−ＣＨ２−、
【化３０】
0005583710.tif 000031
、ｓ＝２、ｚ＝１、ｍ＝２）
得られた反応混合物を減圧下、１２０℃で減圧ストリップすることにより、溶剤を取り除き、無色透明液体で動粘度６０ｍｍ２／ｓ（２５℃）のポリオキシアルキレン変性オルガノポリシロキサンを得た。
【００８６】
（比較例１）
反応器に下記平均組成式
【化３１】
0005583710.tif 000032
で表される動粘度５３ｍｍ２／ｓ（２５℃）のオルガノハイドロジェンポリシロキサン１００質量部、２−プロパノール３０質量部、下記で表されるビニル価２．１５ｍｍｏｌ／ｇのポリオキシアルキレン化合物１０．３質量部、塩化白金酸の１−ブタノール溶液（白金３重量％）０．０１質量部を加え、８５℃にて５時間撹拌した。この反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【化３２】
0005583710.tif 000033
得られた反応混合物を減圧下、１１０℃で減圧ストリップすることにより、溶剤を取り除き、淡黄色微濁液体で動粘度５７０ｍｍ２／ｓ（２５℃）のポリオキシアルキレン変性オルガノポリシロキサンを得た。
【００８７】
（比較例２）
反応器に下記平均組成式
【化３３】
0005583710.tif 000034
で表される動粘度５．４ｍｍ２／ｓ（２５℃）のオルガノハイドロジェンポリシロキサン２００質量部、トルエン５０質量部、下記で表されるビニル価３．９２ｍｍｏｌ／ｇのポリオキシアルキレン化合物６４質量部、塩化白金酸の１−ブタノール溶液（白金３重量％）０．０２質量部を加え、８５℃にて５時間撹拌した。この反応混合物の一部を抜き取り、ＦＴ−ＩＲ（フーリエ変換赤外分光  サーモサイエンティフィック社）及び、１ＨＮＭＲ（ＣＤＣｌ３、ブルカー社  ４００ＭＨｚ）を測定することにより、Ｓｉ−Ｈに由来するピークが消失していることを確認し、反応を完了した。
【化３４】
0005583710.tif 000035
得られた反応混合物を減圧下、１１０℃で減圧ストリップすることにより、溶剤を取り除き、無色透明液体で動粘度８０ｍｍ２／ｓ（２５℃）のポリオキシアルキレン変性オルガノポリシロキサンを得た。
【００８８】
（実施例７〜９及び比較例３〜５）
常法により、上記で実施例１〜３及び比較例１、２で調整した反応生成物を用い、下記表１に示す組成（質量％）の本発明及び比較用のクリームを調製した（実施例７〜９、比較例３〜５）。
得られたクリームについて、下記方法で評価を行った。結果を下記表１に示す。
【００８９】
（評価方法）
表１に示すクリームの５０℃１ヶ月後、及び３ヶ月後の乳化安定性を目視にて評価した。
下記の評価基準で示す。
◎：分離なし
○：上層に僅かに分離あり
△：上層分離
×：上下層分離
【００９０】
さらに、クリーム調製後、皮膚に２ｇ塗付し、十分に馴染ませ、評価を行った。べたつきのなさ、伸びの良さ、塗布時の軽さについて官能評価した。結果を「効果がある」と回答したパネラーの人数により、下記の評価基準で示す。
評価基準
◎：４〜５人が効果あると回答
○：３人が効果あると回答
△：２人が効果あると回答
×：効果あると回答したのは１人または０人
【００９１】
【表１】
0005583710.tif 000036
表１に示された結果により、実施例７〜９のクリームは比較例３〜５のクリームに比べ、乳化経時安定性が高く、べたつきのない、伸びの良い、軽い感触の化粧料であった。
【００９２】
（実施例１０〜１２及び比較例６〜８）
常法により下記油中水型リキッドファンデーションを調製した。
得られたリキッドファンデーションについて、下記方法で評価を行った。結果を下記表２に示す。
【００９３】
（評価方法）
表２に示すリキッドファンデーションの５０℃３ヶ月後の乳化安定性を目視にて評価した。
評価基準は下記。
◎：分離なし
○：上層に僅かに分離あり
△：上層分離
×：上下層分離
【００９４】
さらに、リキッドファンデーション調製後、皮膚に２ｇ塗付し、十分に馴染ませ、評価を行った。色相の均一性、べたつきのなさ、化粧持ちの良さ、塗布時の軽さについて官能評価した。結果を「効果がある」と回答したパネラーの人数により、下記の評価基準で示す。
評価基準
◎：４〜５人が効果あると回答
○：３人が効果あると回答
△：２人が効果あると回答
×：効果あると回答したのは１人または０人
【００９５】
【表２】
0005583710.tif 000037
表２に示された結果により、実施例１０〜１２のリキッドファンデーションは比較例６〜８のリキッドファンデーションに比べ、乳化経時安定性が高く、色相が均一で粉体の分散安定性が良く、べたつきのない、化粧持ちの優れる、軽い感触の化粧料であった。
【００９６】
（実施例１３）ヘアトリートメント
下記組成のヘアトリートメントを常法により調製した。
組成                                                              質量％
オクタデシルオキシ（２−ヒドロキシプロピル）ジメチルアミン        ０．５
ステアリン酸ジメチルアミノプロピルアミド                          ２．０
ステアリルアルコール                                              ５．０
ジプロピレングリコール                                            １．０
ベンジルアルコール                                                ０．５
フェノキシエタノール                                              ０．１
実施例４のポリオキシアルキレン変性オルガノポリシロキサン          ２．５
高重合ジメチルポリシロキサン※                                    ０．５
グリセリン                                                        ５．０
ポリプロピレングリコール                                          ２．５
ラノリン脂肪酸                                                    ０．５
ヒマワリ油                                                        ０．５
乳酸                                                              １．５
香料                                                              ０．４
水酸化ナトリウム                                                  ０．１
イオン交換水                                                        残量
※  ＫＦ−９６Ｈ  １０００００ｃｓ（信越化学工業（株））
【００９７】
得られたヘアトリートメントは、経時による変化がなく、しっとりとして、べたつきがなく、滑らかで、柔らかさ、櫛通り感も良好であった。
【００９８】
（実施例１４）口紅  
下記組成の口紅を常法により調製した。
（成分）                                                      重量（％）
キャンデリラワックス                                            ８．０
ポリエチレンワックス                                            ８．０
長鎖アルキル含有アクリルシリコーン樹脂（※１）                １２．０
メチルフェニルポリシロキサン（※２）                            ３．０
イソノナン酸イソトリデシル                                    ２０．０
イソステアリン酸グリセリル                                    １６．０
実施例１のポリオキシアルキレン変性オルガノポリシロキサン        ０．５
オクタデシルジメチルベンジルアンモニウム塩変性モンモリナイト    ０．５
トリイソステアリン酸ポリグリセリル                            ２７．３
シリコーン処理赤色２０２（※３）                                ０．８
シリコーン処理ベンガラ（※３）                                  １．５
シリコーン処理黄酸化鉄（※３）                                  １．０
シリコーン処理黒酸化鉄（※３）                                  ０．２
シリコーン処理酸化チタン（※３）                                １．０
防腐剤                                                          ０．１
香料                                                            ０．１
（※１）長鎖アルキル含有アクリルシリコーン樹脂：ＫＰ−５６１Ｐ（信越化学工業（株）製の商品名）
（※２）メチルフェニルポリシロキサン：ＫＦ−５４（信越化学工業（株）製の商品名）
（※３）アクリル−シリコーン系グラフト共重合体処理：ＫＰ−５４１（信越化学工業（株）製の商品名）
【００９９】
以上のようにして得られた口紅は、表面のツヤがあり、のびが軽くて油っぽさや粉っぽさがない上、さっぱりとした使用感を与えるものであった。また、耐水性や撥水性が良好で持ちも良く、安定性にも優れているものであった。
【０１００】
（実施例１５）アイライナー
下記組成のアイライナーを常法により調製した。
（成分）
組成                                                                質量％
デカメチルシクロペンタシロキサン                              ２２．０
ジメチルポリシロキサン（６ｍｍ２／秒）                          ５．０
黒酸化鉄                                                      ２０．０
ビタミンＥアセテート                                            ０．２
ホホバ油                                                        ２．０
ベントナイト                                                    ３．０
実施例６のポリオキシアルキレン変性オルガノポリシロキサン        ２．０
エタノール                                                    １０．０
１，３−ブチレングリコール                                    １０．０
防腐剤                                                          ０．１
香料                                                            ０．１
精製水                                                        残量    
【０１０１】
得られたアイライナーは、伸びが軽くて描きやすく、清涼感があってさっぱりとしてべたつきがない使用感で、温度や経時による変化もなく、使用性も安定性にも非常に優れており、耐水性、耐汗性は共に優れ、化粧持ちも非常に良いことが確認された。
【０１０２】
（実施例１６）乳液
下記組成の乳液を常法により調製した。
（成分）                                                重量（％）
デカメチルシクロペンタシロキサン                        １５．０
メチルフェニルポリシロキサン                              ５．０
スクワレン                                                ５．０
テトラ−２−エチルヘキサン酸ペンタエリスリトール          ５．０
実施例２のポリオキシアルキレン変性オルガノポリシロキサン  ３．０
オルガノポリシロキサンエラストマー球状粉体（※１）        ２．０
疎水化シリカ（※２）                                      ０．５
アスコルビン酸リン酸マグネシウム                          １．０
塩化ナトリウム                                            １．０
ポリエチレングリコール１１０００                          １．０
プロピレングリコール                                      ８．０
防腐剤                                                    ０．１
香料                                                      ０．１
精製水                                                    残  量
（※１）オルガノポリシロキサンエラストマー球状粉体：ＫＭＰ−５９０（信越化学工業（株）社製）
（※２）疎水化シリカ：アエロジルＲ９７２（日本アエロジル社製）
【０１０３】
以上のようにして得られた乳液は、のび広がりも軽く、さらっとしてべたつきがなく、温度や経時による変化もない、使用性も安定性にも非常に優れていることがわかった。
【０１０４】
（実施例１７）Ｏ／Ｗ型クリーム
下記組成のＯ／Ｗ型クリームを常法により調製した。
（成分）                                                重量（％）
架橋型ジメチルポリシロキサン（※１）                      ８．０
架橋型メチルフェニルポリシロキサン（※２）                ２．０
イソノナン酸イソトリデシル                                ５．０
ジプロピレングリコール                                    ７．０
グリセリン                                                ５．０
メチルセルロース（２％水溶液）（※３）                    ７．０
ポリアクリルアミド系乳化剤（※４）                        ２．０
実施例５のポリオキシアルキレン変性オルガノポリシロキサン  ０．５
グアニン                                                  １．０
防腐剤                                                    ０．１
香料                                                      ０．１
精製水                                                    残  量
（※１）架橋型ジメチルポリシロキサン：ＫＳＧ−１６（信越化学工業（株）社製）
（※２）架橋型メチルフェニルポリシロキサン：ＫＳＧ−１８（信越化学工業（株）社製）
（※３）メチルセルロース：メトローズＳＭ−４０００（信越化学工業（株）社製）
（※４）ポリアクリルアミド系乳化剤：セピゲル３０５（ＳＥＰＩＣ社製）
【０１０５】
以上のようにして得られたクリームは、キメが細かく、のび広がりが軽くてべたつきや油っぽさがない上しっとりとしてみずみずしく、さっぱりとした使用感を与えると共に化粧持ちも非常に良く、温度変化や経時による変化がなく安定性に優れているＯ／Ｗ型クリームであることがわかった。
【０１０６】
（実施例１８）パウダーファンデーション
下記組成のパウダーファンデーションを常法により調製した。
（成分）                                                重量（％）
ワセリン                                                    ２．５
スクアラン                                                  ３．０
実施例３のポリオキシアルキレン変性オルガノポリシロキサン    ０．５
トリオクタン酸グリセリル                                    ２．０
シリコーン処理マイカ（※１）                              ４０．０
シリコーン処理タルク（※１）                              ２２．２
シリコーン処理酸化チタン（※１）                          １０．０
シリコーン処理微粒子酸化チタン（※１）                      ５．０
シリコーン処理硫酸バリウム（※１）                        １０．０
顔料                                                        ０．１
フェニル変性ハイブリッドシリコーン複合粉体（※２）          ２．０
シリコーン粉体（※３）                                      ２．５
防腐剤                                                      ０．１
香料                                                        ０．１
（※１）アクリル−シリコーン系グラフト共重合体処理：ＫＰ−５４１（信越化学工業（株）製の商品名）
（※２）フェニル変性ハイブリッドシリコーン複合粉体：ＫＳＰ−３００（信越化学工業（株）社製）
（※３）シリコーン粉体：ＫＭＰ−５９０（信越化学工業（株）社製）
【０１０７】
以上のようにして得られたパウダーファンデーションは、べたつきがなく、のび広がりも軽く、しかも、密着感に優れ、化粧持ちの優れる、つやのある仕上がりが得られるパウダーファンデーションであることがわかった。
【０１０８】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。